(57)【要約】【課題】接触子に塵等が付着した場合においても、プラグとソケットの接触子間の電気的接触を確保することができるデタッチャブルコネクタを提供する。【解決手段】デタッチャブルコネクタは、複数のソケット接触子４を有するソケット１と複数のプラグ接触子７を有するプラグ２とよりなり、プラグ接触子７の接触部７１をソケット接触子４の接触部４１に接触させることができる。特に、プラグ接触子７の接触部７１は、二条に分割され、第１及び第２接触部７１−１，７１−２で構成されている。これにより、例えば、塵が第２接触部７１−２に付着すると、第２接触部７１−２がソケット接触子４の接触部４１による押圧力によってブロック６側に撓む。そして、第１接触部７１−１とソケット接触子４の接触部４１との接触状態は維持される。【選択図】　　　　図１
2004030960.tif 000002
【特許請求の範囲】
【請求項１】
ハウジング内に固定された基幹部，この基幹部の一方端から延出され且つ上記ハウジングの開口を通じて露出する薄板状の接触部，及び上記基幹部の他方端からハウジングの外部に延出されたテール部を有したソケット接触子が、上記ハウジングに複数列設されたソケットと、
ブロックに固定された基幹部，この基幹部の一方端から上記ブロックの表面に沿って延出され且つ上記ソケット接触子の接触部側を向く薄板状の接触部，及び上記基幹部の他方端から延出されたテール部を有したプラグ接触子が、上記ソケット接触子に対応して、上記ブロックに複数列設されたプラグと
を具備してなるデタッチャブルコネクタであって、
上記ソケット接触子の接触部及び上記プラグ接触子の接触部の一方又は双方を、接触部の延出方向に切り込みを入れて二条に分割した、
ことを特徴とするデタッチャブルコネクタ。
【請求項２】
請求項１に記載のデタッチャブルコネクタにおいて、
上記プラグ接触子の接触部を、その延出方向に沿って接触部の遊端まで切り込むことにより上記二条に分割すると共に、当該二条の接触部と上記ブロックの表面との間に間隙をもたせて、上記ブロックの表面側への当該接触部の撓みを可能にした、
ことを特徴とするデタッチャブルコネクタ。
【請求項３】
請求項１に記載のデタッチャブルコネクタにおいて、
上記ソケット接触子の接触部を、その延出方向に沿って接触部の遊端まで切り込んで上記二条に分割することにより、上記ハウジングの奥側への当該接触部の撓みを可能にした、
ことを特徴とするデタッチャブルコネクタ。
【請求項４】
請求項１ないし請求項３のいずれかに記載のデタッチャブルコネクタにおいて、
上記ハウジングの開口を覆い、各ソケット接触子の接触部の一部が露出可能な窓部を複数有するマスクを、上記ソケットに設けた、
ことを特徴とするデタッチャブルコネクタ。
【発明の詳細な説明】
【０００１】
【発明の属する技術分野】
この発明は、接触子同士の接触，非接触を繰り返し行うことができるデタッチャブルコネクタに関するものである。
【０００２】
【従来の技術】
図１２は、従来のデタッチャブルコネクタが適用された車載用音響機器の斜視図である。
この車載用音響機器１００は機器本体１０１の前面に制御ブロック１０２を開閉自在に取り付けた構造になっている。
すなわち、コントロールボタン１０３，ディスプレイパネル１０４，図示しないチューナ回路及び制御回路を有した制御ブロック１０２を機器本体１０１と別体に作製して機器本体１０１に組み付けた器機あり、開放ボタン１０５を操作することで、図１３に示すように、制御ブロック１０２を前方に倒すことができる。これにより、テープカセットを機器本体１０１のカセット挿入口１０６に挿入することができるようになっている。また、解除ボタン１０７を操作することで、制御ブロック１０２を機器本体１０１から分離させることもできる。
【０００３】
このような車載用音響機器１００においては、機器本体１０１内の回路と制御ブロック１０２内の回路とを電気的に接続するためのデタッチャブルコネクタ３００が一般的に用いられている。
図１４は、デタッチャブルコネクタ３００を示すための断面図である。
この図に示すように、デタッチャブルコネクタ３００は、機器本体１０１に取り付けられるソケット３１０と、制御ブロック１０２に取り付けられるプラグ３２０とによりなる。
ソケット３１０の接触子３１１は、機器本体１０１内の基板１１０に接続され、その接触部３１１ａが制御ブロック１０２側に向けられている。
一方、プラグ３２０の接触子３２１は、制御ブロック１０２内の基板１２０に接続され、その接触部３２１ａは接触子３１１の接触部３１１ａに対向している。
これにより、図に示すように、制御ブロック１０２を閉じると、ソケット３１０の接触子３１１とプラグ３２０の接触子３２１とが接触して基板１１０，１２０間が電気的に接続される。
【０００４】
【発明が解決しようとする課題】
しかし、上記した従来のデタッチャブルコネクタ３００では、次のような問題がある。
上記の車載用音響機器１００においては、制御ブロック１０２の開閉が頻繁に行われ、デタッチャブルコネクタ３００の接触子３１１，３２１が外気に曝される機会が多い。このため、空気中の塵やゴミが接触子３１１，３２１に付着し易い。特に、接触子３１１，３２１の接触部３１１ａ，３２１ａは突起状に湾曲しているため、静電気が溜まり易く、塵等の付着を誘引する。したがって、上記のごときデタッチャブルコネクタ３００では、基板１１０，１２０間の電気的接続を図るために最も重要な接触部３１１ａ，３２１ａに、塵等が付着して、接触不良を起こし易いという問題がある。
【０００５】
この発明は上述した課題を解決するためになされたもので、接触子に塵等が付着した場合においても、プラグとソケットの接触子間の電気的接触を確保することができるデタッチャブルコネクタを提供することを目的とするものである。
【０００６】
【課題を解決するための手段】
上記課題を解決するために、請求項１の発明は、ハウジング内に固定された基幹部，この基幹部の一方端から延出され且つハウジングの開口を通じて露出する薄板状の接触部，及び基幹部の他方端からハウジングの外部に延出されたテール部を有したソケット接触子が、ハウジングに複数列設されたソケットと、ブロックに固定された基幹部，この基幹部の一方端からブロックの表面に沿って延出され且つソケット接触子の接触部側を向く薄板状の接触部，及び基幹部の他方端から延出されたテール部を有したプラグ接触子が、ソケット接触子に対応して、ブロックに複数列設されたプラグとを具備してなるデタッチャブルコネクタであって、ソケット接触子の接触部及びプラグ接触子の接触部の一方又は双方を、接触部の延出方向に切り込みを入れて二条に分割した構成としてある。
かかる構成により、ソケットのソケット接触子とプラグのプラグ接触子とを対向させて、ソケット接触子の接触部とプラグ接触子の接触部とを接触させる際に、塵などがこれらの接触部のいずれかに付着していると、二条に分割された接触部のうち、塵などが付着している部分が他方の接触部の押圧力により撓み、塵などが付着していない部分と他方の接触部との接触が維持される。
【０００７】
ソケット接触子の接触部及びプラグ接触子の接触部の一方を、接触部の延出方向に切り込みを入れて二条に分割する例として、請求項２の発明は、請求項１に記載のデタッチャブルコネクタにおいて、プラグ接触子の接触部を、その延出方向に沿って接触部の遊端まで切り込むことにより二条に分割すると共に、当該二条の接触部とブロックの表面との間に間隙をもたせて、ブロックの表面側への当該接触部の撓みを可能にした構成としてある。また、他の例として、請求項３の発明は、請求項１に記載のデタッチャブルコネクタにおいて、ソケット接触子の接触部を、その延出方向に沿って接触部の遊端まで切り込んで二条に分割することにより、ハウジングの奥側への当該接触部の撓みを可能にした構成としてある。
【０００８】
さらに、請求項４の発明は、請求項１ないし請求項３のいずれかに記載のデタッチャブルコネクタにおいて、ハウジングの開口を覆い、各ソケット接触子の接触部の一部が露出可能な窓部を複数有するマスクを、ソケットに設けた構成としてある。
【０００９】
【発明の実施の形態】
以下、この発明の実施の形態について図面を参照して説明する。
（第１の実施形態）
図１は、この発明の第１の実施形態に係るデタッチャブルコネクタの斜視図である。
図１に示すように、この実施形態のデタッチャブルコネクタは、ソケット１とプラグ２とを具備してなる。
【００１０】
ソケット１は、複数のソケット接触子４をハウジング３内に列設した構造となっている。
図２は、ソケット１の断面図である。
図２に示すように、ハウジング３は各ソケット接触子４を収納するための収納室３０を有しており、その前面（図２の左面）には、収納室３０と連通した開口３１が形成されている。また、各収納室３０の側壁３０ａには、ソケット接触子４を取り付けるための長孔３２，３３が穿設されている。なお、図２において、符号３４はソケット１を基板等に載置するための台座であり、符号３５は、ソケット１を当該基板等に差してソケット１を固定するための固定金具である。
【００１１】
ソケット接触子４は、上記の如きハウジング３の収納室３０内に取り付けられている。
図３は、ソケット接触子４の斜視図である。
図３に示すように、ソケット接触子４は、薄状の板金を打ち抜いた後、図に示すように折り曲げて形成したもので、基幹部４０と接触部４１とテール部４２とを有する。
【００１２】
基幹部４０は、ソケット接触子４をソケット１のハウジング３内に固定するための部分であり、ハウジング３の段差部３０ｂの形状に対応した形状に折り曲げられている。また、基幹部４０の両側には突起４０ａが設けられている。
これにより、図２に示すように、基幹部４０を収納室３０の段差部３０ｂに当接させ、突起４０ａを長孔３２，３３に係合させることで、ソケット接触子４がハウジング３内に固定される。
【００１３】
図３において、接触部４１は、後述するプラグ２のプラグ接触子７に接触させる部分であり、基幹部４０の上方端（一方端）から延出し、ハウジング３の開口３１から露出するように、折れ曲がっている。具体的には、図２に示すように、接触部４１の中途部が折り曲げられて開口３１から突出し、当該突出部４１ａがプラグ２のプラグ接触子７と直接接触するようになっている。また、接触部４１の先端４１ｂは遊端であり、自由端である。
【００１４】
テール部４２は、基板等の配線に接続する部分であり、基幹部４０の下方端（他方端）から延出して、ハウジング３の外部に露出している。
【００１５】
上記のごとき構成のソケット１には、マスク５が取り付けられている。
マスク５は、ソケット１外部の塵等がソケット接触子４の接触部４１に付着する事態を可能な限り防止するために設けられた部材であり、開口３１を覆うようにハウジング３の前面に回動自在に取り付けられている。このマスク５には、接触部４１の突出部４１ａのみを露出させる窓部５０が穿設されており、突出部４１ａとプラグ２のプラグ接触子７との接触を可能にしている。
【００１６】
一方、図１において、プラグ２は、ブロック６の表面に複数のプラグ接触子７を列状に取り付けた構造になっている。
図４は、プラグ２の断面図である。
図４に示すように、ブロック６は、中実のブロック本体６０と、ブロック本体６０と一体に形成され保持部６１とを有してなる。
保持部６１は、ブロック本体６０の表面に取り付けられたプラグ接触子７を保持する部分であり、保持部６１の側壁に形成された固定溝６１ａと保持部６１の底壁に形成された長溝６１ｂを有している。
なお、図１に示すように、符号６２は、プラグ２を基板等に載置するための台座であり、符号６３は、当該基板等にネジ止めするための固定金具である。
【００１７】
プラグ接触子７は、ソケット接触子４に接触させる部材であり、上記の如く、ブロック６の保持部６１に保持されている。
図５は、プラグ接触子７の斜視図である。
図５に示すように、プラグ接触子７は、薄状の板金を打ち抜いた後、図に示すように折り曲げて形成したもので、基幹部７０と接触部７１とテール部７２とを有する。
【００１８】
基幹部７０は、プラグ接触子７をプラグ２のブロック６に固定するための部分であり、図４に示すように、その両側部が保持部６１の固定溝６１ａに挿入されることで、プラグ接触子７がプラグ２のブロック本体６０上に固定される。
【００１９】
図５において、接触部７１は、ソケット接触子４の接触部４１に接触させる部分であり、基幹部７０の前方端（一方端）からブロック本体６０の前面６０ａに沿って延出し、その下端部が保持部６１の長溝６１ｂに遊嵌されている（図４参照）。
このような接触部７１の幅Ｗ１は、図３に示したソケット接触子４の接触部４１の幅Ｗ２と略等しく設定されている。そして、接触部７１の中央部分がその延出方向に沿って遊端７１ａまで切り込まれ、スリット７３が形成されている。すなわち、接触部７１は、第１接触部７１−１と第２接触部７１−２との二条に分割されている。
かかる接触部７１は、図４に示すように、ブロック本体６０の前面６０ａに沿って折れ曲がっているが、前面６０ａと接触部７１との間には、間隙ｔが設けられている。これにより、外力が接触部７１に加わった場合には、接触部７１が前面６０ａ方向に間隙ｔの距離だけ撓むことができるようになっている。
【００２０】
図５において、テール部７２は、プラグ２が取り付けられる基板等の配線に接続する部分であり、基幹部７０の後方端（他方端）から上方に延出している。
【００２１】
上記のごとき構成のプラグ接触子７は、図１に示すように、ソケット１のソケット接触子４に対応するように、ブロック６に列設されており、その接触部７１は、ソケット接触子４の接触部４１側を向いている。
【００２２】
次に、この実施形態のデタッチャブルコネクタを図１２に示した車載用音響機器１００に適用した場合に示すデタッチャブルコネクタの動作について説明する。
図６は、この実施形態のデタッチャブルコネクタが組み付けられた車載用音響機器１００の制御ブロック１０２を開いた状態の断面図であり、図７は、制御ブロック１０２を閉じた状態の断面図である。
図６に示すように、ソケット１は、車載用音響機器１００の機器本体１０１に取り付けられ、プラグ２は制御ブロック１０２に取り付けられる。
ソケット１の機器本体１０１への取り付けは、マスク５を外部に向けた状態で、ハウジング３の台座３４を基板１１０上に載置すると共に、ソケット接触子４のテール部４２を基板１１０に差すことにより行う。
一方、プラグ２の制御ブロック１０２への取り付けは、プラグ接触子７の接触部７１を外部に向けた状態で、ブロック本体６０のボス６０ｂを基板１２０の凹部に嵌めると共に、プラグ接触子７のテール部７２を基板１２０に当接することにより行う。
上記のごとく、ソケット１，プラグ２を取り付けた車載用音響機器１００において、図７に示すように、制御ブロック１０２を閉じると、ソケット１のソケット接触子４の突出部４１ａが、プラグ２のプラグ接触子７の接触部７１に接触し、機器本体１０１の基板１１０と制御ブロック１０２の基板１２０とがこのデタッチャブルコネクタを介して電気的接続されることとなる。
【００２３】
ところで、空気中には、塵等が存在しており、この塵がソケット接触子４やプラグ接触子７の接触部４１，７１に付着した場合には、デタッチャブルコネクタの接触不良が生じるおそれがある。
しかし、本実施形態のデタッチャブルコネクタでは、図４に示したように、プラグ接触子７の接触部７１とブロック本体６０の前面６０ａとの間に間隙ｔが設けられ、且つ、図５に示したように、プラグ接触子７の接触部７１が、第１及び第２接触部７１−１，７１−２の二条に分割されているので、図８に示すように、塵に接触している方の第１又は第２接触部７１−１，７１−２がブロック本体６０の前面６０ａ側に撓み、塵に接触していない方の第１又は第２接触部７１−１，７１−２はソケット接触子４の突出部４１ａとの接触を維持する。
図９は、塵が介在した場合における接触子同士の接触状態を説明するための概略断面図である。
図１２に示した従来のデタッチャブルコネクタ３００では、図９の（ａ）に示すように、接触子３１１の接触部３１１ａと接触子３２１の接触部３２１ａとの間に塵Ｓが介在すると、この塵Ｓによって、接触子３１１と接触子３２１とが非接触状態になり、接触不良を生じる。
これに対して、本実施形態のデタッチャブルコネクタでは、塵Ｓは、図９の（ｂ）に示すように、第１又は第２接触部７１−１，７１−２の一方（本図では第２接触部７１−２）と突出部４１ａとの間に介在することとなる。したがって、突出部４１ａが接触部７１に接触すると、接触部７１の第２接触部７１−２が塵Ｓを介して押圧され、ブロック本体６０の前面６０ａ側に撓む。一方、接触部７１の第１接触部７１−１と突出部４１ａとの間には塵Ｓが介在していないので、第１接触部７１−１は撓むことなく突出部４１ａとの接触を維持する。
この結果、塵Ｓがソケット接触子４の接触部４１又はプラグ接触子７の接触部７１のいずれかに付着し、塵Ｓが突出部４１ａと接触部７１との間に介在する事態が生じた場合においても、ソケット接触子４とプラグ接触子７との導通状態は維持され、接触不良が生じるということはない。
【００２４】
（第２の実施形態）
図１０は、この発明の第２の実施形態に係るデタッチャブルコネクタに適用されるソケット接触子４′を示す斜視図であり、図１１は、プラグ接触子７′を示す斜視図である。
この実施形態のデタッチャブルコネクタでは、ソケット接触子の接触部を二条に分割した点が上記第１の実施形態と異なる。
図１０に示すように、この実施形態に適用されるソケット接触子４′では、接触部４１がその延出方向に沿って遊端４１ｂまで切り込まれ、スリット４３が形成されている。すなわち、接触部４１は、第１接触部４１−１と第２接触部４１−２との二条に分割されている。
一方、プラグ接触子７′は、図１１に示すように、第１の実施形態のプラグ接触子７と異なり、接触部７１が二条に分割しておらず、単条である。
かかる構成により、ソケット接触子４′の接触部４１とプラグ接触子７′の接触部７１との間に塵Ｓが介在している場合には、第１又は第２の接触部４１−１，４１−２のうち塵Ｓと接触している方が、ハウジング３の奥側に撓み、他方はプラグ接触子７′の接触部７１との接触を維持することとなる。
その他の構成，作用及び効果は上記第１の実施形態と同様であるので、その記載は省略する。
【００２５】
なお、この発明は、上記実施形態に限定されるものではなく、発明の要旨の範囲内において種々の変形や変更が可能である。
例えば、上記第１及び第２の実施形態では、ソケット接触子の接触部又はプラグ接触子の接触部の一方のみを二条分割した構成としたが、これに限らず、図１０及び図５に示すように、ソケット接触子の接触部とプラグ接触子の接触部の双方を二条分割した構成にすることもできることは勿論である。
【００２６】
【発明の効果】
以上詳しく説明したように、この発明のデタッチャブルコネクタによれば、ソケット接触子の接触部とプラグ接触子の接触部とを接触させる際に、塵などがこれらの接触部のいずれかに付着している場合においても、二条に分割された接触部のうち塵などが付着している部分が、他方の接触部の押圧力により撓んで、塵などが付着していない部分と他方の接触部との接触が維持されるので、塵などの介在に無関係にプラグとソケットの接触子間の電気的接触を確保することができるという優れた効果がある。
【図面の簡単な説明】
【図１】この発明の第１の実施形態に係るデタッチャブルコネクタの斜視図である。
【図２】ソケットの断面図である。
【図３】ソケット接触子の斜視図である。
【図４】プラグの断面図である。
【図５】プラグ接触子の斜視図である。
【図６】実施形態のデタッチャブルコネクタが組み付けられた車載用音響機器の制御ブロックを開いた状態の断面図である。
【図７】実施形態のデタッチャブルコネクタが組み付けられた車載用音響機器の制御ブロックを閉じた状態の断面図である。
【図８】第１又は第２接触部の撓む状態を示す断面図である。
【図９】塵が介在した場合における接触子同士の接触状態を説明するための概略断面図である。
【図１０】この発明の第２の実施形態に係るデタッチャブルコネクタに適用されるソケット接触子の斜視図である。
【図１１】第２実施形態に適用されるプラグ接触子の斜視図である。
【図１２】従来のデタッチャブルコネクタが適用された車載用音響機器の斜視図である。
【図１３】車載用音響機器の制御ブロックを開いて従来のデタッチャブルコネクタを示す斜視図である。
【図１４】従来のデタッチャブルコネクタを示す断面図である。
【符号の説明】
１…ソケット、　２…プラグ、　３…ハウジング、　４…ソケット接触子、　５…マスク、　６…ブロック、　７…プラグ接触子、　３１…開口、　４０…基幹部、　４１…接触部、　４２…テール部、　４１ａ…突出部、　５０…窓部、６０ａ…前面、　７０…基幹部、　７１…接触部、　７１−１…第１接触部、　７１−２…第２接触部、　７１ａ…遊端、　７２…テール部、　７３…スリット、Ｓ…塵、ｔ…間隙。
【図１】
2004030960.tif 000003
【図２】
2004030960.tif 000004
【図３】
2004030960.tif 000005
【図４】
2004030960.tif 000006
【図５】
2004030960.tif 000007
【図６】
2004030960.tif 000008
【図７】
2004030960.tif 000009
【図８】
2004030960.tif 000010
【図９】
2004030960.tif 000011
【図１０】
2004030960.tif 000012
【図１１】
2004030960.tif 000013
【図１２】
2004030960.tif 000014
【図１３】
2004030960.tif 000015
【図１４】
2004030960.tif 000016